(57)【要約】【課題】紙幣用挿入口と非接触ＩＣカード用挿入口とが、それぞれ別に設けられており、紙幣識別装置が大型化していた。【解決手段】紙幣識別装置は、紙幣２１が挿入される紙幣用挿入口に連結して設けられた紙幣識別センサ２８と、紙幣識別回路２９とからなる紙幣識別部と、非接触ＩＣカード２２が挿入される非接触ＩＣカード用挿入口に連結して設けられた検出用アンテナ３２と、この検出用アンテナ３２に接続されたリーダライタ回路３３とからなる非接触ＩＣカード２２のリードライト部とで構成され、前記紙幣用挿入口と前記非接触ＩＣカード用挿入口を一つとして共用化した共用挿入口２３が設けられることにより、紙幣識別装置２４の小型化を図ることができる。【選択図】図２
2005128680.tif 000002
【特許請求の範囲】
【請求項１】
紙幣識別部と非接触ＩＣカードのリードライト部が設けられた紙幣識別装置であって、前記紙幣識別部は、紙幣用挿入口と、この紙幣用挿入口に連結して設けられた第１の通路と、この第１の通路の壁面に設けられた紙幣識別センサと、この紙幣識別センサに接続された紙幣識別回路と、前記第１の通路の終端に連結された紙幣収納部とを有し、前記リードライト部は、前記非接触ＩＣカード用挿入口と、この非接触ＩＣカード用挿入口に連結されるとともに直線状に設けられた第２の通路と、この第２の通路の壁面に設けられた非接触ＩＣカードの検出用アンテナと、この検出用アンテナに接続されたリーダライタ回路とから成り、前記紙幣用挿入口と前記非接触ＩＣカード用挿入口は、共用されて一つの共用挿入口とした紙幣識別装置。
【請求項２】
紙幣収納部は、直線状に設けられた第２の通路の上方または下方に設けられた請求項１に記載の紙幣識別装置。
【請求項３】
第２の通路は、共用挿入口から斜め上方に向かって設けられた請求項２に記載の紙幣識別装置。
【請求項４】
非接触ＩＣカードの挿入口の近傍に前記非接触ＩＣカードの引き抜きを禁止するストッパが設けられた請求項１に記載の紙幣識別装置。
【請求項５】
非接触ＩＣカード用挿入口の横幅は紙幣用挿入口の横幅より狭くするとともに、前記非接触ＩＣカード用挿入口の縦幅は前記紙幣用挿入口の縦幅より広くした請求項１に記載の紙幣識別装置。
【請求項６】
共用挿入口から第２の通路へと非接触ＩＣカードを導くガイド部が設けられた請求項１に記載の紙幣識別装置。
【発明の詳細な説明】
【技術分野】
【０００１】
本発明は、紙幣識別装置に係り、さらに詳しくは、非接触ＩＣカードのリードライトも併せて行う紙幣識別装置に関するものである。
【背景技術】
【０００２】
従来の紙幣識別装置は、以下に示す構成をしていた。即ち、図５において、紙幣識別装置１は、フロントパネル部２と、このフロントパネル部２が装着される本体部３とで構成されていた。この紙幣識別装置１内には、図６に示すように紙幣識別部と非接触ＩＣカードのリードライト部が収納されていた。紙幣識別部は、紙幣４が挿入される挿入口５と、この挿入口５に連結して設けられた第１の通路６と、この第１の通路６の壁面に設けられた紙幣識別センサ７と、この紙幣識別センサ７に接続された紙幣識別回路８と、第１の通路６の終端に設けられた紙幣収納部１５とで構成されていた。
【０００３】
また、非接触ＩＣカード９のリードライト部は、非接触ＩＣカード９が挿入される挿入口１０と、この挿入口１０に連結して設けられた第２の通路１１と、この第２の通路１１の壁面に設けられた非接触ＩＣカード９を検出するための検出用アンテナ１２と、この検出用アンテナ１２が接続されたリーダライタ回路１３とで構成されていた。ここで、紙幣識別回路８とリーダライタ回路１３とは、制御部８ａで共通して制御されていた。また、紙幣４が挿入される挿入口５と、非接触ＩＣカード９が挿入される挿入口１０とは、別々に設けられていた。
【０００４】
なお、この出願の発明に関連する先行技術文献情報としては、例えば、特許文献１が知られている。
【特許文献１】特開２０００−３０１１６号公報
【発明の開示】
【発明が解決しようとする課題】
【０００５】
しかしながら、このような従来の紙幣識別装置では、紙幣４と非接触ＩＣカード９の形状がそれぞれ異なるために、紙幣用挿入口５と非接触ＩＣカード用挿入口１０とがそれぞれ別に設けられていた。このため、フロントパネル部２での占有面積が大きくなり、紙幣識別装置が大型化するという課題があった。
【０００６】
本発明は、この問題を解決したもので、紙幣識別装置の小型化を図ることを目的とするものである。
【課題を解決するための手段】
【０００７】
この目的を達成するために、本発明の紙幣識別装置は、紙幣用挿入口と非接触ＩＣカード用挿入口は、共用されて一つの共用挿入口としたものである。これにより、紙幣識別装置の小型化を図ることができる。
【０００８】
本発明の請求項１に記載の発明は、紙幣識別部と非接触ＩＣカードのリードライト部が設けられた紙幣識別装置であって、前記紙幣識別部は、紙幣用挿入口と、この紙幣用挿入口に連結して設けられた第１の通路と、この第１の通路の壁面に設けられた紙幣識別センサと、この紙幣識別センサに接続された紙幣識別回路と、前記第１の通路の終端に連結された紙幣収納部とを有し、前記リードライト部は、前記非接触ＩＣカード用挿入口と、この非接触ＩＣカード用挿入口に連結されるとともに直線状に設けられた第２の通路と、この第２の通路の壁面に設けられた非接触ＩＣカードの検出用アンテナと、この検出用アンテナに接続されたリーダライタ回路とから成り、前記紙幣用挿入口と前記非接触ＩＣカード用挿入口は、共用されて一つの共用挿入口とした紙幣識別装置である。
【０００９】
このように、紙幣と非接触ＩＣカードの挿入口を一つとして共用化することにより、フロントパネル部の前面での挿入口の占有面積を少なくできるので、紙幣識別装置の小型化を図ることができる。
【００１０】
さらに、挿入口が一つとなって共用されるので、利用者は、紙幣あるいは非接触ＩＣカードともに、同じ挿入口に挿入すればよいので、利便性がよくなる。
【００１１】
本発明の請求項２に記載の発明は、紙幣収納部は、直線状に設けられた第２の通路の上方または下方に設けられた請求項１に記載の紙幣識別装置である。
【００１２】
これにより、非接触ＩＣカードの第２の通路は、紙幣収納部に遮られることがなく、フロントパネル部と本体部との間の長さをすべて用いて、直線状に設けることが可能となる。従って、紙幣識別装置の薄型化を図ることができる。
【００１３】
本発明の請求項３に記載の発明は、第２の通路は、共用挿入口から斜め上方に向かって設けられた請求項２に記載の紙幣識別装置である。
【００１４】
これにより、第２の通路は、紙幣識別装置内の奥行き全体に対して斜めに設けることが可能となり、さらに紙幣識別装置の薄型化が実現できる。また、第２の通路が斜めに設けられることによって、雨水等の浸入を防止することもできる。
【００１５】
本発明の請求項４に記載の発明は、非接触ＩＣカードの挿入口の近傍に前記非接触ＩＣカードの引き抜きを禁止するストッパが設けられた請求項１に記載の紙幣識別装置である。
【００１６】
これにより、非接触ＩＣカードを挿入したときに、非接触ＩＣカード全体を共用挿入口から突出しないように完全に挿入できる。従って、非接触ＩＣカードに対して利用者等の不注意による挿入口側からの衝撃が加わりにくいので、非接触ＩＣカードを保護することができる。
【００１７】
また、自動販売機を利用して、一度に何本も商品購入時や、長い調理時間を要する商品購入時には、その決済が終了するまで非接触ＩＣカードを共用挿入口から突出しないように完全に挿入できるので、購入時における非接触ＩＣカードの盗難が防止できる。同時に、商品の払い出しが完了する前に、ＩＣカードが通信可能エリア外に出ることを防止できるので、決済処理ができなくなる不具合を防止できる。
【００１８】
本発明の請求項５に記載の発明は、非接触ＩＣカード用挿入口の横幅は紙幣用挿入口の横幅より狭くするとともに、前記非接触ＩＣカード用挿入口の縦幅は前記紙幣用挿入口の縦幅より広くした請求項１に記載の紙幣識別装置である。
【００１９】
このように、紙幣と非接触ＩＣカードを一つの同じ挿入口に挿入するのであるが、それぞれの断面形状に応じた挿入口の形状としているので、正しく挿入することができる。
【００２０】
本発明の請求項６に記載の発明は、共用挿入口から第２の通路へと非接触ＩＣカードを導くガイド部が設けられた請求項１に記載の紙幣識別装置である。
【００２１】
これにより、共用挿入口に挿入された非接触ＩＣカードは、共通通路上に設けられたガイド部により誘導されて、検出用アンテナが設けられている定位置に導かれる。
【発明の効果】
【００２２】
以上のように本発明によれば、紙幣と非接触ＩＣカードの挿入口を一つとして共用化することにより、フロントパネル部の挿入口の占有面積を少なくできるので、紙幣識別装置の小型化を図ることができる。
【００２３】
また、挿入口が一つとなって共用化されるので、利用は、紙幣あるいは非接触ＩＣカードともに、同じ挿入口に挿入すればよい。従って、利便性がよくなる。
【発明を実施するための最良の形態】
【００２４】
（実施の形態１）
図１は、本発明の実施の形態１における紙幣識別装置の斜視図である。また図２は、本発明の実施の形態１における紙幣識別装置の断面図である。
【００２５】
図１において、２４は紙幣識別装置であり、この紙幣識別装置２４は、フロントパネル部２５と、このフロントパネル部２５が装着された本体部２６で構成されている。さらに、この紙幣識別装置２４は、紙幣識別部、リードライト部が収納されている。また、フロントパネル部２５には、紙幣２１あるいは非接触ＩＣカード２２が挿入される挿入口として、一つに共用化された共用挿入口２３が設けられている。
【００２６】
先ず、紙幣識別部の構成について図２を用いて説明する。紙幣識別部は、紙幣２１が挿入される共用挿入口２３に連結されるとともに、紙幣２１の通路と非接触ＩＣカード２２の通路を共用させた直線部を有する共用通路２７ａが設けられている。この共用通路２７ａに連結して、逆Ｕ字部を有する紙幣２１の通路２７ｂが設けられている。この通路２７ｂの壁面には、紙幣識別センサ２８が設けられている。さらに、この紙幣識別センサ２８は、紙幣識別回路２９に接続されている。
【００２７】
また、逆Ｕ字部を有する紙幣２１の通路２７ｂの終端には紙幣２１を収納するための紙幣収納部３１が設けられている。ここで、紙幣２１と非接触ＩＣカード２２の共用通路２７ａと紙幣２１専用の通路２７ｂを第１の通路としている。
【００２８】
次に、非接触ＩＣカード２２のリードライト部の構成について図２を用いて説明する。この図２では、非接触ＩＣカード２２が、共用挿入口２３から挿入された状態を示している。
【００２９】
非接触ＩＣカード２２は、共用挿入口２３から挿入されて共用通路２７ａに導かれる。この共用通路２７ａから直線上に連結された非接触ＩＣカード２２専用の通路２７ｃおよび２７ｄが設けられている。ここで、非接触ＩＣカード２２と紙幣２１の共用の通路である共用通路２７ａと、非接触ＩＣカード２２の専用通路である通路２７ｃ、２７ｄを、第２の通路としている。
【００３０】
また、共用通路２７ａには、共用挿入口２３に近接してストッパ制御部２２ａを有するストッパ部２２ｂが設けられている。ここで、非接触ＩＣカード２２が挿入される第２の通路の長さ３５は、非接触ＩＣカード２２の挿入方向側の長さより長く設けられている。この第２の通路の長さ３５は、非接触ＩＣカード２２がストッパ部２２ｂに当接する点から非接触ＩＣカード２２の通路の終端２７ｅまでの長さとしている。
【００３１】
さらに、共用通路２７ａの壁面には、非接触ＩＣカード２２の検出用アンテナ３２がループ状あるいは巻線状で形成されている。この検出用アンテナ３２には、リーダライタ回路３３が接続されている。さらに、紙幣識別回路２９とリーダライタ回路３３は、制御部３４により制御されている。
【００３２】
このように構成された紙幣識別部と非接触ＩＣカードのリードライト部を有する紙幣識別装置２４が、自動販売機に搭載される。
【００３３】
この紙幣識別装置２４について、以下にその動作を説明する。最初に紙幣識別部の動作について説明する。紙幣２１が共用挿入口２３から挿入される。このとき、ストッパ部２２ｂは、制御部３４、ストッパ制御部２２ａにより押し上げられた状態が保持されている。
【００３４】
紙幣２１の第１の通路である共用通路２７ａ、通路２７ｂの両端には、それぞれ紙幣２１を搬送する紙幣搬送用ローラが設けられている。これにより、紙幣２１は、共用通路２７ａ、通路２７ｂへと搬送される。そして、この紙幣２１は、通路２７ｂの壁面に設けられた紙幣識別センサ２８と紙幣識別回路２９により、真偽が判定される。
【００３５】
ここで、紙幣識別センサ２８は、磁気センサ２８ｃと、発光部２８ａ、受光部２８ｂからなるフォトセンサ等の検出用手段が用いられる。磁気センサ２８ｃでは、磁気ヘッドを用いて、紙幣２１による磁気量の変化を検出する。
【００３６】
また、フォトセンサでは、発光部２８ａと受光部２８ｂを用い、この発光部２８ａと受光部２８ｂの間に挿入された紙幣２１を透過する光の量を検出する。このとき、発光部２８ａ、受光部２８ｂは、それぞれ受光部、発光部として入れ替えて用いてもよい。この紙幣２１が真紙幣の場合には、制御部３４から正貨信号が出力される。また、紙幣２１は、紙幣収納部３１に収納される。
【００３７】
次に、非接触ＩＣカード２２のリードライト部の動作について説明する。非接触ＩＣカード２２は、共用挿入口２３より挿入されると、直線的に形成された共用通路２７ａ、通路２７ｃ、通路２７ｄからなる第２の通路に入る。
【００３８】
このとき、非接触ＩＣカード２２の通路の長さ３５は、非接触ＩＣカード２２の挿入方向側の長さより長く設けてある。従って、非接触ＩＣカード２２が挿入されたとき、非接触ＩＣカード２２の全体を、第２の通路の長さ３５内に完全に挿入できるので、非接触ＩＣカード２２は共用挿入口２３から突出することがない。さらに、非接触ＩＣカード２２に対して不注意による挿入口側からの衝撃が加わりにくいので、非接触ＩＣカード２２が保護されることになる。
【００３９】
また、非接触ＩＣカード２２に内蔵されたアンテナは、共用通路２７ａの壁面に設けられた非接触ＩＣカード２２の検出用アンテナ３２に対向することになる。この非接触ＩＣカードの内蔵アンテナと非接触ＩＣカード２２の検出用アンテナ３２の間では、例えばデジタル変調された送信周波数１３．５６ＭＨｚの信号が互いに電磁誘導結合の状態となって送受信される。
【００４０】
さらに、この送受信されたデータは、リーダライタ回路３３でデータ復調される。また、制御部３４は、非接触ＩＣカード２２の検出用アンテナ３２、リーダライタ回路３３を制御する。そして、非接触ＩＣカード２２に対してデータ送受信を行う。
【００４１】
これにより、非接触ＩＣカード２２のＩＣカード会社情報および残金に関する情報が、非接触ＩＣカード２２の検出用アンテナ３２およびリーダライタ回路３３により検出される。さらに、制御部３４が、非接触ＩＣカード２２の検出用アンテナ３２およびリーダライタ回路３３を制御することにより、購入商品の金額に応じて、非接触ＩＣカード２２が決済される。
【００４２】
次に、紙幣あるいは非接触ＩＣカードの挿入口について説明する。この挿入口は、紙幣用挿入口と非接触ＩＣカード用挿入口をひとつの挿入口として共用した共用挿入口２３としている（図１参照）。詳しくは、非接触ＩＣカード２２の挿入口２３ｂの横幅は、紙幣２１の挿入口２３ａの横幅より短くするとともに、非接触ＩＣカード２２の挿入口２３ｂの縦幅は、紙幣２１の挿入口２３ａの縦幅より大きくしている。すなわち、この共用挿入口２３の形状は、それぞれ紙幣２１と非接触ＩＣカード２２の挿入方向の形状としている。
【００４３】
これにより、紙幣２１を挿入時には、紙幣２１の挿入方向の形状と略等しい形状の挿入口２３ａを用い、非接触ＩＣカード２２を挿入時には、非接触ＩＣカード２２の挿入方向の形状と略等しい形状の挿入口２３ｂを用いて、挿入口の共用化を図ることができる。また、非接触ＩＣカード２２は、挿入口の決められた挿入口２３ｂに挿入されることになり、定められた位置にガイド部で導かれるようになっている。すなわち、非接触ＩＣカード２２に内蔵されたアンテナは、リーダライタ回路３３の非接触ＩＣカード２２の検出用アンテナ３２に最適に電磁誘導結合させることが可能となる。
【００４４】
このように構成することによって、紙幣２１または非接触ＩＣカード２２のいずれでも共用挿入口２３に挿入できるとともに、フロントパネル部２５での挿入口の占有面積が少なくできるので、紙幣識別装置２４の小型化を図ることができる。
【００４５】
次に、非接触ＩＣカード２２の第２の通路と紙幣収納部３１の位置関係について説明する。共用通路２７ａ、通路２７ｃ、通路２７ｄから構成された第２の通路は、紙幣収納部３１よりも上側に設けられている。また、この第２の通路は、紙幣収納部３１よりも下側に設けられてもよい。
【００４６】
これにより、非接触ＩＣカード２２の第２の通路は、紙幣収納部３１に遮られることがなく、フロントパネル部２５と本体部２６との間の長さをすべて用いて、直線状に設けることが可能となる。従って、紙幣識別装置の薄型化を図ることができる。
【００４７】
また、非接触ＩＣカード２２は、共用挿入口２３より奥まで挿入されるので、利用者等の不注意による挿入口側からの衝撃を保護できるとともに、盗難を防止できるものである。
【００４８】
なお、第２の通路は、共用挿入口２３に対して水平方向に設けられているが、斜め上方に向けて設けることも可能である。このとき、第２の通路は、紙幣識別装置２４内の奥行き全体に対して斜めに設けることが可能となり、さらに紙幣識別装置２４の薄型化が実現できる。また、斜めに設けることによって、雨水等の浸入を防止できる。
【００４９】
次に、非接触ＩＣカード２２のストッパ制御部２２ａについて説明する。非接触ＩＣカード２２が完全に挿入されると、制御部３４およびストッパ制御部２２ａによりストッパ部２２ｂが押し下げられ、非接触ＩＣカード２２は取り出しが禁止される。その後、決済処理が終了すると、ストッパ部２２ｂが解除され、非接触ＩＣカード２２は、共用挿入口２３から返却されることになる。
【００５０】
従って、自動販売機を利用して、一度に何本もの商品購入時や、長い調理時間を要する商品購入時において、このストッパ制御部２２ａおよびストッパ部２２ｂが、その決済が終了するまで非接触ＩＣカード２２を通路部の長さ３５内に完全に挿入された状態に保持される。従って、商品の払い出しが完了する前に、非接触ＩＣカード２２が通信可能エリア外に出ることはなく、決済処理ができなくなる不具合を防止できる。また、商品購入時における非接触ＩＣカード２２の盗難を防止できる。
【００５１】
さらに、非接触ＩＣカード２２の検出用アンテナ３２、リーダライタ回路３３が、共用挿入口２３に近い部分である共用通路２７ａに設けられているので、挿入された挿入物が非接触ＩＣカード２２かどうかの検出を共用挿入口２３の近傍で行える。従って、もし異なる挿入物が挿入されたときは、この異なる挿入物をすぐに返却することができるので、いたずらを防止できる。
【００５２】
（実施の形態２）
図３は、本発明の実施の形態２における紙幣識別装置の斜視図である。なお図３で使用した部品について、図１と同じものについては同一の番号を付してその説明を簡略化している。実施の形態２では、共用挿入口４７が、実施の形態１である図１の共用挿入口２３とは形状が異なっている。すなわち、紙幣２１は、紙幣２１の横幅に合った挿入口４７ａに挿入され、非接触ＩＣカード２２は、非接触ＩＣカード２２の横幅に合った挿入口４７ｂに挿入される。
【００５３】
図３において、紙幣識別装置４８は、フロントパネル部４９と、このフロントパネル部４９が装着された本体部５０とで構成されている。さらに、非接触ＩＣカード用挿入口４７ｂの形状は、紙幣用挿入口４７ａに対してほぼ中央で、かつ紙幣用挿入口４７ａに対して非接触ＩＣカード２２の厚み分だけ上面側に突出した挿入口としている。
【００５４】
ここで、紙幣搬入用ローラが紙幣用挿入口４７ａに連結して設けられた共用通路２７ａの両端に設けられているので、非接触ＩＣカード用挿入口４７ｂの位置は、紙幣用挿入口４７ａに対してほぼ中央に位置させている。これは、実施の形態１でも同様である。なお、非接触ＩＣカード２２の挿入口４７ｂの形状は、紙幣２１の挿入口４７ａに対して非接触ＩＣカード２２の厚み分だけ下面側に設けても良い。
【００５５】
以上のように、紙幣２１または非接触ＩＣカード２２の共用挿入口４７を共用化することにより、フロントパネル部４９での共用挿入口４７の占有面積を少なくできるので、紙幣識別装置の小型化を図ることができる。
【００５６】
（実施の形態３）
図４は、本発明の実施の形態３における紙幣識別装置の斜視図である。なお図４で使用した符号について、図１と同じものについては同一の番号を付してその説明を簡略化している。実施の形態３における共用挿入口５１は、実施の形態１である図１の共用挿入口２３とは形状が異なっている。
【００５７】
すなわち、共用挿入口５１の幅は、紙幣２１の幅に対応させるとともに、共用挿入口５１の厚みは、非接触ＩＣカード２２の厚みに対応させ、紙幣２１および非接触ＩＣカード２２を挿入可能とした長方形としている。そして、この共用挿入口５１には、紙幣２１と非接触ＩＣカード２２が共に挿入される。さらに、この共用挿入口５１は、共用通路に連結している。
【００５８】
図４において、紙幣識別装置５２は、フロントパネル部５３と、このフロントパネル部５３が装着された本体部５４とで構成されている。ここで、共用挿入口５１に挿入された非接触ＩＣカード２２は、共用通路に設けられたガイド部により、検出用アンテナが設けられた定位置に誘導される。
【００５９】
つまり、非接触ＩＣカード２２の内蔵アンテナは、非接触ＩＣカード２２の検出用アンテナ３２に電磁誘導結合するような位置に誘導されることになる。これにより、安定したデータ通信を行うことができるリードライト部が実現できる。
【００６０】
このように、紙幣２１または非接触ＩＣカード２２の挿入口を共用化して共用挿入口５１とすることにより、フロントパネル部５３での挿入口の占有面積を少なくできるので、紙幣識別装置の小型化を図ることができる。
【産業上の利用可能性】
【００６１】
本発明にかかる、紙幣識別装置は、紙幣と非接触ＩＣカードが挿入される挿入口を共用化することにより、紙幣識別装置の小型化を図ることができるので、非接触ＩＣカードと紙幣の双方が利用できる自動販売機等に有用である。
【図面の簡単な説明】
【００６２】
【図１】本発明の実施の形態１における紙幣識別装置の斜視図
【図２】同、紙幣識別装置の断面図
【図３】本発明の実施の形態２における紙幣識別装置の斜視図
【図４】本発明の実施の形態３における紙幣識別装置の斜視図
【図５】従来の紙幣識別装置の斜視図
【図６】同、紙幣識別装置の断面図
【符号の説明】
【００６３】
２２  非接触ＩＣカード
２３  共用挿入口
２４  紙幣識別装置
２７ａ  共用通路
２７ｂ  通路
２７ｃ  通路
２７ｄ  通路
２８  紙幣識別センサ
２９  紙幣識別回路
３２  検出用アンテナ
３３  リーダライタ回路
【図１】
2005128680.tif 000003
【図２】
2005128680.tif 000004
【図３】
2005128680.tif 000005
【図４】
2005128680.tif 000006
【図５】
2005128680.tif 000007
【図６】
2005128680.tif 000008